(57)【要約】      （修正有）【課題】点火プラグの点火部付近に適度な濃度の混合気が得られ、失火しにくい点火プラグおよび燃焼機関を提供する。【解決手段】点火プラグ１は、プラグ本体１１と中心電極１２及び接地電極１３とこれら電極１２、１３とが位置する着火室２４０を形成し、噴射燃料５を着火室２４０に導入する導入流路２４３と着火室２４０内の着火炎を導出する導出流路２４４とを持つドーム２４を有する。  また、上記の点火プラグ１と燃料インジェクタ２とを含む燃焼機関６は、燃料インジェクタ２が噴射燃料５を噴射する複数個の噴出口２２を有し、少なくとも１つの噴出口２２が点火プラグ１の導入流路２４３に向けられている。【選択図】  図５
2007035570.tif 000002
【特許請求の範囲】
【請求項１】
プラグ本体と該プラグ本体より突出する点火部を構成する中心電極及び該中心電極にギャップを介して対向する接地電極とを有し、燃料インジェクタと共に使用される点火プラグにおいて、
前記プラグ本体に固定され、前記中心電極と前記接地電極とが位置する着火室を形成し、前記燃料インジェクタから噴射される噴射燃料を該着火室に導入する導入流路と該着火室内の着火炎を導出する導出流路とを持つドームを有することを特徴とする点火プラグ。
【請求項２】
前記導入流路は、流路断面が一定の平行流路、導入側の流路断面が大きく導出側の流路断面が小さい縮小流路、または導入側の流路断面が小さく導出側の流路断面が大きい拡大流路である請求項１に記載の点火プラグ。
【請求項３】
前記導入流路は、前記噴射燃料をまず前記着火室の前記点火部を除く他の領域に導入するもので、他の領域に導入された該噴射燃料は前記ドームによりその後該点火部に案内される請求項１又は２に記載の点火プラグ。
【請求項４】
前記導入流路は、前記噴射燃料を前記ドームの内周面にそって案内し該ドーム内に旋回流を形成する請求項１〜３の何れか１つに記載の点火プラグ。
【請求項５】
前記導出流路は、前記燃料インジェクタの燃料噴出方向と異なる方向に前記着火炎を導出するものである請求項１〜４の何れか１つに記載の点火プラグ。
【請求項６】
前記ドームは、前記プラグ本体より突出する周壁部と前記周壁部の先端をふさぐ頂壁部とを有し、該周壁部に前記導入流路が形成され、該頂壁部に前記導出流路が形成されている請求項１〜５の何れか１つに記載の点火プラグ。
【請求項７】
前記周壁部は内周面が外周面に対して偏心した壁厚側と壁薄側をもつ偏心筒状であり、前記導入流路は前記壁厚側に設けられている請求項６に記載の点火プラグ。
【請求項８】
燃焼室を有する機関本体と該機関本体に保持され先端部分が該燃焼室に突出する燃料インジェクタと前記機関本体に保持され先端部分が該燃焼室に突出する点火プラグとを有する燃焼機関において、
前記点火プラグは、プラグ本体と、該プラグ本体より突出し点火部を構成する中心電極及び該中心電極に点火部となるギャップを介して対向する接地電極と、該プラグ本体に固定され該中心電極及び該接地電極が位置する着火室を形成し前記燃料インジェクタから噴射される噴射燃料を該着火室に導入する導入流路と該着火室内の着火炎を導出する導出流路とを持つドームとを有し、
前記燃料インジェクタは、前記噴射燃料を噴射する複数個の噴出口を有し少なくとも１つの該噴出口が前記点火プラグの前記導入流路に向けられていることを特徴とする燃焼機関。
【発明の詳細な説明】
【技術分野】
【０００１】
本発明は、点火プラグとこの点火プラグを含む火花点火機関などの燃焼機関に関する。
【背景技術】
【０００２】
点火プラグは、自動車のエンジンなどの内燃機関において燃焼室内の混合気に点火するもので、点火部を構成する中心電極と中心電極にギャップを介して対向する接地電極とを有し、点火のためにギャップに火花を発生させて混合気を点火するものである。
【０００３】
一般に、点火プラグの中心電極および接地電極はプラグ本体の一端から軸方向に突出している。点火プラグは、そのプラグ本体がシリンダヘッドに取り付けられ、中心電極および接地電極は燃焼室内に突出する。また、点火プラグと並んでシリンダヘッドに取り付けられた燃料インジェクタは燃焼室内に燃料を噴射し、その燃料と燃焼室内の空気とが混合し混合気が生成される。そして、この混合気は点火プラグにより点火されて燃焼する。
【０００４】
点火プラグと燃料インジェクタとで行う燃焼法の一つにスプレーガイド燃焼法がある。このスプレーガイド燃焼法は、燃料を直接点火プラグ方向に噴射し、形成された噴霧がピストンやシリンダライナー等の壁面に当たる前に点火プラグを用いて点火することで、シリンダ内の総合的な燃料混合気濃度を低下し、燃費、エミッションを向上させる技術である。
【０００５】
スプレーガイド燃焼法に使用される点火プラグとしては、例えば特許文献１に開示されたものがある。この点火プラグは、プラグ本体の先端と間隔を隔て、中心電極の先端に対向するように中空の円錐台形状の接地電極を持つ。この接地電極は、その周辺に一端が固定され他端がプラグ本体に固定された複数本の支柱によりプラグ本体に固定されている。また、中空の円錐台形状の中心にガス孔を持つ。
【特許文献１】特開平６−２０８８８０号公報
【発明の開示】
【発明が解決しようとする課題】
【０００６】
特許文献１の点火プラグおよびこの点火プラグを含む燃焼機関では、スプレーガイド燃焼法を採用している。そして特許文献１の点火プラグは、隣り合う支柱間が大きく開いており、この開いた支柱間に中心電極と接地電極の点火部となるギャップが外部に対してオープンとなっている。そして燃料インジェクタより噴射された燃料噴霧が支柱間を通り、直接プラグの点火部に至る。点火プラグ付近の噴霧燃料により形成される混合気の濃度はサイクル間変動が大きく、点火したときに可燃混合気がプラグ付近に存在しないことや、噴霧流速が速いために火種が吹き消される等で、失火を起こしやすい。すなわち、点火プラグ位置が１〜数ｍｍずれるとか、着火可能時間が数ｍｓ程度しかないというように、微少な変化で失火が生じ、運転領域が限られている。
【０００７】
さらに、噴霧燃料が直接電極に付着することでプラグくすぶりが生じやすいという問題が有る。
【０００８】
本発明は従来の点火プラグをさらに改良し、点火プラグの点火部付近に適度な濃度の混合気が得られ、失火しにくくしかも噴射燃料が点火プラグに付着することを防ぐ点火プラグを提供することを目的とする。
【０００９】
また、点火プラグの点火部付近に、更に適度な濃度の混合気が得られる燃焼機関を提供することを目的とする。
【課題を解決するための手段及び発明の効果】
【００１０】
本発明の点火プラグは、プラグ本体と該プラグ本体より突出し点火部を構成する中心電極及び該中心電極にギャップを介して対向する接地電極とを有し、燃料インジェクタと共に使用される点火プラグにおいて、前記プラグ本体に固定され、前記中心電極と前記接地電極とが位置する着火室を形成し、前記燃料インジェクタから噴射される噴射燃料を該着火室に導入する導入流路と該着火室内の着火炎を導出する導出流路とを持つドームを有することを特徴とする。
【００１１】
本発明の点火プラグのドームの着火室には、燃焼室内と同じ空気が存在する。燃料インジェクタから噴射された噴射燃料が導入流路に案内されて着火室内に流れ込み、着火室に混合気が生成される。着火室内に到達する噴射燃料は導入流路により制御することができるため、ドームの内部に形成される着火室の点火部には点火に好ましい適当な濃度の混合気を容易に得ることができる。そして、中心電極と接地電極とのギャップに火花を発生させ混合気に点火し、着火室全体に火炎が広がり着火室内は高圧の火炎で満たされる。この火炎は導出流路に案内されて燃焼室内の目的とする方向に噴出し燃焼室内の噴射燃料を爆発的に燃焼させる。
【００１２】
本発明の点火プラグによれば、燃料インジェクタからの噴射燃料の流速が速くても導入流路から導入される噴射燃料以外の噴射燃料はドームが遮るため、着火炎が吹き消されることがない。点火プラグの点火部を形成する中心電極と接地電極とがドームで覆われており、燃料インジェクタから噴射される噴射燃料に直接さらされず、点火部に噴射燃料が付着することがないので、プラグくすぶりが生じにくくなる。
【００１３】
ドームに形成される導入流路は、流路断面が一定の平行流路、導入側の流路断面が大きく導出側の流路断面が小さい縮小流路、又は導入側の流路断面が小さく導出側の流路断面が大きい拡大流路とすることができる。また、導入流路は、噴射燃料をまず前記着火室の前記点火部を除く他の領域に導入するもので、他の領域に導入された該噴射燃料は前記ドームによりその後該点火部に案内されるものとするのが好ましい。点火部をはずして導入された噴射燃料はドームの内面により案内あるいは反射されて着火室内の空気と混合し、点火部に至る。このためより確実な点火が可能となる。
【００１４】
より具体的には導入流路は、噴射燃料をドームの内周面にそって案内しドーム内に旋回流を形成するものとするのが好ましい。
【００１５】
導出流路は、燃料インジェクタの燃料噴出方向と異なる方向に着火炎を導出することが好ましい。これにより燃料インジェクタの噴射弁方向への逆火が抑制でき、噴射弁付近の燃料不完全燃焼によるデホジットを抑制できる。
【００１６】
導出流路も、導入流路のように、平行流路、縮小流路または拡大流路とすることができる。縮小流路では火炎速度を増大できるため、噴出軸方向に長く火炎を噴出させることができ、着火範囲を広げることができる。拡大流路では幅広い角度に火炎を噴出できるため着火範囲を広げることができる。これらは用途により使い分けすることができる。
【００１７】
ドームは、プラグ本体より突出する周壁部とこの周壁部の先端をふさぐ頂壁部とを有し、この周壁部に導入流路が形成され、頂壁部に導出流路が形成されているものとするのが好ましい。この構成をとることにより、ドームの着火室の所定位置に容易に噴射燃料を導入できると共に、着火室内の火炎を燃焼室の所定位置に容易に噴出させることができる。
【００１８】
また、周壁部は内周面が外周面に対して偏心した壁厚側と壁薄側をもつ偏心筒状とし、導入流路をこの壁厚側に設けることにするのが好ましい。これにより導入流路を長くすることが容易となり、導入流路による噴霧燃料の導入方向をより確実に制御できるようになる。
【００１９】
本発明の燃焼機関は、燃焼室を有する機関本体と該機関本体に保持され先端部分が該燃焼室に突出する燃料インジェクタと前記機関本体に保持され先端部分が該燃焼室に突出する点火プラグとを有する燃焼機関において、前記点火プラグは、プラグ本体と、該プラグ本体より突出する中心電極と、該中心電極に点火部となるギャップを介して対向する接地電極と、該プラグ本体に固定され該中心電極及び該接地電極が位置する着火室を形成し前記燃料インジェクタから噴射される噴射燃料を該着火室に導入する導入流路と該着火室内の着火炎を導出する導出流路とを持つドームとを有し、前記燃料インジェクタは、前記噴射燃料を噴射する複数個の噴出口を有し少なくとも１つの該噴出口が前記点火プラグの前記導入流路に向けられていることを特徴とする。
【００２０】
本発明の燃焼機関は、燃料インジェクタが点火プラグの導入流路に向けられた噴出口を持つので、噴射燃料の一部が確実に点火プラグのドームの導入流路に噴射される。その結果、ドームの着火室に噴射燃料が導入され、適当な濃度の混合気が確実に生成される。これにより着火室内での着火がより確実になると共に着火炎は導出流路により燃焼室内の所定方向に火炎を噴出させることができ、燃焼室内での燃焼をより確実なものとすることができる。
【００２１】
この燃焼機関を構成する点火プラグのドームに形成された導出流路はドームの着火室内の火炎を燃料インジェクタにより噴射された噴射燃料に向けて噴出し爆燃させるものである。また、導入流路から噴出する火炎が燃料インジェクタの方向に向かわないように、燃料インジェクタの噴出口から導入流路に向けて噴射される噴射燃料は導入流路の導入方向と交差する方向から導入流路に入れるようにするのが好ましい。
【００２２】
［実施形態］
以下、本発明の点火プラグ及びその点火プラグを含む燃焼機関の実施例を示し、本発明をより具体的に説明する。
【００２３】
（実施例１）
実施例の一部を断面とした点火プラグを図１に示す。この点火プラグ１は、プラグ本体１１と中心電極１２と接地電極１３及びドーム１４とからなる。プラグ本体１１は、中心電極１２の他端部を構成するとともに外部端子となるニップル部１１１と、接地電極１２と電気的に結合された金属製の外筒部１１２と、これらニップル部１１１及び外筒部１１２との間に介在するセラミック製絶縁部１１３とからなる。
【００２４】
中心電極１２はプラグ本体１１の一端側の中心部から軸方向に突出し径大の台部１２１とこの台部１２１と一体的に形成され同軸的にさらに先端に突出する径小の軸部１２２とからなる。接地電極１３は、プラグ本体１１の一端側の側方より突出し、先端が中心電極１２の軸部１２２の先端に近接するようにＪ字形状に先端が曲がった形状となっている。
【００２５】
ドーム１４は耐熱セラミックス製で、外周面の軸心と内周面の軸心が互いに平行する偏心した筒状の周壁部１４１とこの周壁部１４１と一体的に形成されその先端側を閉じる頂壁部１４２とからなる。この周壁部１４１の他端はプラグ本体１１に一体的に固定されている。プラグ本体１１の一端側端面と周壁部１４１の内周面と頂壁部１４２の一面とで着火室１４０が区画される。この着火室１４０はプラグ本体１１に対してその軸が偏心したシリンダ状である。着火室１４０が偏心して一方に偏っているため、周壁部１４１の一方の壁は壁の薄い薄壁部となりその反対側は壁の厚い厚壁部となっている。
【００２６】
周壁部１４１の厚壁部の頂壁部１４２側の先端部分に、着火室１４０の直径と等しい横幅と縦幅が横幅より狭い長方形の貫通孔からなる導入流路１４３が形成されている。この導入流路を正面とした点火プラグを図２に示す。頂壁部１４２の偏心した軸と同軸的で着火室の軸心に細い貫通孔からなる導出流路１４４が形成されている。
【００２７】
着火室１４０内に位置する中心電極１２は着火室１４０の厚壁部に偏って位置し、接地電極１３は着火室１４０の薄壁部に偏って位置している。そして導入流路１４３は、中心電極１２及び接地電極１３の頂部よりさらに先端側に開口する位置関係となっている。また、導出流路１４４は中心電極１２及び接地電極１３の軸方向と平行で中心電極１２及び接地電極１３の中間線の延長線上に位置する関係にある。
【００２８】
本実施例の点火プラグ１は噴射燃料をその導入流路１４３から導入する。導入流路１４３に噴射された噴射燃料はドーム１４の着火室１４０内の頂壁部１４２に近い部分に導入される。この部分は点火部を構成する中心電極１２及び接地電極１３の先端のさらに先の部分になる。このため、導入流路１４３から導入された噴射燃料は直接中心電極１２及び接地電極１３に当たらない。着火室１４０内で噴射燃料はドーム１４の内壁面に当接する等で着火室１４０内の空気と混合し混合気となって点火部に至る。ここで中心電極１２と接地電極１３との間に高電圧がかけられ火花が発生する。この火花により混合気が点火され、着火室１４０内は爆発的に燃焼し高圧の火炎が生ずる。この火炎は導出流路１４４及び導入流路１４３を通して外部に噴出し、点火プラグ１の周りの混合気を点火し爆発的に燃焼させる。
【００２９】
本実施例の点火プラグ１では、燃料インジェクタからの噴射燃料の流速が速くても導入流路１４３から導入される噴射燃料以外の噴射燃料はドーム１４が遮るため、着火炎が吹き消されることがない。点火プラグ１の点火部を形成する中心電極１２と接地電極１３とがドーム１４で覆われており、燃料インジェクタから噴射される噴射燃料に直接さらされず、点火部に噴射燃料が付着することがないので、プラグくすぶりが生じにくくなる。また、着火室１４０で生じた高圧の火炎が導出流路１４４及び導入流路１４３より高速で噴出するため点火プラグ１の周囲の噴射燃料と空気との混合気を速やかに爆発的に燃焼させることが容易となる。
【００３０】
実施例１のドーム１４の導入流路１４３及び導出流路１４４の形状を変えたドーム２４及び２５を持つ要部断面を図３及び図４に示す。
【００３１】
図３に示すドーム２４はその導入流路２４３を縮小流路とし、導出流路２４４を拡大流路としたものである。縮小流路となっている導入流路２４３は入口側の流路断面を小さく、着火室２４０に開口する出口側の流路断面を大きくしたものである。逆に、拡大流路となっている導出流路２４４は、着火室２４０に開口する入口側の開口を小さくし、出口側の開口を大きくしている。
【００３２】
図３に示すドーム２４は、実施例１のドームと同じく偏心筒状の周壁部２４１とこれと一体的に形成された円板状の頂壁部２４２とから成り、周壁部２４１に導入流路２４３を頂壁部２４２に導出流路２４４を形成したものである。導入流路２４３は縮小流路とし、入口側の流路断面を大きく、着火室２４０に開口する出口側の流路断面を小さくしたものである。導出流路２４４も同じく縮小流路とし、着火室２４０に開口する入口側の開口を大きくし、出口側の開口を小さくしている。
【００３３】
図３には噴射燃料５の噴射状態を図示している。この例では噴射燃料５は導入流路２４３のプラグ本体１１側から噴射され、噴射燃料５は狭い扇形状に広がりつつ導入流路２４３の広い入口に斜め方向から入る。図３はこの状態を図示したものである。そして噴射燃料５は導入流路２４３の縮径流路で案内され着火室２４０の頂壁部２４２に近い部分に集中的に案内され、着火室２４０内の空気と混ざり合い混合気となって着火室を満たす。この状態で中心電極１２と接地電極１３との間に高電圧がかけられ火花が発生する。この火花により混合気が点火され、着火室１４０内は爆発的に燃焼し高圧の火炎が生ずる。この火炎は縮小流路となっている導出流路２４４を通ることにより絞られて流速を増し外部に噴出する。これによりより遠い混合気を着火できる。また、逆方向の出る方向では拡大流路となる導入流路２４３を通して火炎は広がりつつ外部に噴出し、広い範囲の混合気を着火できる。このようにして点火プラグの周りの混合気は点火され爆発的に燃焼する。
【００３４】
図４に示すドーム２５は、図３のドーム２４の縮小流路となっていた導入流路２４３を逆の拡大流路となる導入流路２５３とし、図３の縮小流路となっていた導出流路２４４を逆の拡大流路となる導出流路２５４としたものである。
【００３５】
図４のドーム２５では導入流路２５３の入口開口が小さいため、噴霧燃料５の受け取りは少し難しくなる。しかし、入口から入った噴霧燃料５は導入流路２５３内で流路が拡大するため流速を落とし広がった状態で着火室２５０に入る。そして、着火され、着火室２５０で生成する高圧の火炎は図３と逆の作用を受け、点火プラグの周りの混合気は点火され爆発的に燃焼する。
【００３６】
図３及び図４には拡大流路及び縮小流路を持つ導入流路及び導出流路を示したが、目的に応じて他の異なる断面形状及び方向を持つ導入流路及び導出流路とすることができる。
【００３７】
（実施例２）
本発明の内燃機関の要部断面を図５に示す。
【００３８】
この内燃機関６は、シリンダ６１、ピストン６２、シリンダヘッド６３、点火プラグ１及び燃料インジェクタ２を含む。シリンダ６１にはピストン６２が上下方向に摺動自在に嵌挿されている。シリンダヘッド６３がシリンダ６１の一端開口を覆い、ピストン６２と共に燃焼室６４を形成している。シリンダヘッド６３には吸気口６５及び図示していないが排気口が形成されており、それぞれ吸気弁６６と排気弁６７が設けられている。
【００３９】
燃料インジェクタ２はシリンダヘッド６３の中央に設置されており、点火プラグ１は燃料インジェクタ２に隣接し、燃料インジェクタ２の先端側の延長線と点火プラグ１の先端側の延長線が燃焼室６４内で交わるようにシリンダヘッド６３に斜め方向に設置されている。
【００４０】
燃料インジェクタ２は燃料インジェクタ本体２１と燃料を噴射する複数の噴出口２２をもつ。各噴出口２２から噴射燃料５が燃焼室６４に噴射される。後で説明するが、１個の噴出口２２は点火プラグ１の導入流路２４３に向けられている。
【００４１】
点火プラグ１は、図１及び図３に示されるように、プラグ本体１１と中心電極１２及び中心電極１２にギャップを介して対向する接地電極１３と、中心電極１２と接地電極１３とを覆い着火室２４０を区画するドーム２４とを含む。
【００４２】
ドーム２４は、前に説明した図３に示すもので、セラミックス製で、プラグ本体１１より突出する図３に示す周壁部２４１と円板状の頂壁部２４２とを有する。この周壁部２４１は一方の壁の厚い厚壁部との反対側の壁の薄い薄壁部となり、周壁部２４１の内周面で区画されるシリンダ状の着火室２４０はプラグ本体１１の中心軸に対して一側方に偏った位置に形成されている。
【００４３】
導入流路２４３は周壁部２４１の厚壁部に縮小流路として形成され、導入流路２４３の開口は周壁部２４１の外周面にその周方向に延び幅の狭い長方形状となっている。導出流路２４４は頂壁部２４２の中心より周壁部２４１の薄壁部の方向に偏り、軸方向に貫通し、着火室４１と燃焼室１４とを連通する縮小流路となる通孔として形成されている。
【００４４】
中心電極１２はプラグ本体１１と同軸となる位置に位置し接地電極１３は周壁部２４１の薄壁部に偏った位置に位置している。なお、導入流路２４３の着火室２４０内に開口する開口位置は中心電極１２及び接地電極１３の先端よりさらに先側に位置している。
【００４５】
本実施例の点火プラグ１を組み付けた内燃機関６は前記した構成を持つ。
【００４６】
次に、この内燃機関６の機能について説明する。吸気弁６６が開弁して吸気口６５から新しい空気が燃焼室６４に入り込む。次に吸気弁６６は閉鎖され、ピストン６２が上昇して燃焼室６４の空気が圧縮され、ピストン６２が上死点に達する直前に燃料インジェクタ２の噴出口２２から噴射燃料５が噴射され、混合気を生成する。その直後、点火プラグ１が混合気に点火し、その点火による着火炎が燃焼室６４に広がり、ピストン６２が押し下げられる。その後、排気弁６７が開弁して図示していない排気口から排気が排出される。このように、この内燃機関６は吸気、圧縮、爆発及び排気のサイクルを繰り返す。
【００４７】
この内燃機関では、燃料インジェクタ２から噴射された噴射燃料５の一部のみが点火ラグ１のドーム２４に向かい、ドーム２４の周壁部２４１に形成されている導入流路２４３に入り、ドーム２４内の着火室２４０に導かれる。噴射燃料５の一部のみが導入流路２４３に向かい他の大部分の噴射燃料５は燃焼室６４の広い範囲に分かれる。導入流路２４３に向かう噴射燃料５が少ないためドーム２４の着火室２４０内で生ずる着火炎を吹き消す失火は起こりにくい。
【００４８】
流入流路２４３は縮小流路として形成されているため広い開口から噴射燃料を受け入れ、流路断面の減少に伴い絞られて流速を増し着火室２４０の中心電極１２及び接地電極１３の先端よりさらに先の部分に案内される。そして、着火室２４０内の空気と混合し混合気を生成する。なお、噴射燃料５は中心電極１２及び接地電極１３に直接付着することなく適度な濃度の混合気が生成される。
【００４９】
また、噴射燃料５は着火室２４０内に閉じこめられることになるため、たとえ噴射燃料５が高速で着火室２４０内に入っても、狭い着火室２４０で素早く減速される。これにより、ギャップに発生した火花が吹き消されにくく、失火しずらい。
【００５０】
そして、着火室２４０内の混合気に点火し着火室２４０は着火炎で高圧となり着火室２４０から導出流路２４３に導かれ、導出流路２４３の縮小流路により流路断面が減少し、火炎は絞られて高速となって燃焼室６４に噴出する。これにより燃焼室６４内の遠くにある混合気も素早く点火され燃焼室６４内の混合気が燃焼する。
【００５１】
また、本実施例では、着火室２４０内の高圧の着火炎が導入流路２４３を通って燃焼室６４に噴出する。導入流路２４３の開口は燃料インジェクタ２の噴出口２２に向かって開口しているが、噴出する方向から導入流路２４３を見ると拡大流路となり、着火炎は導入流路２４３を通過する際、拡大しながら燃焼室６４に噴出する。このため、燃料インジェクタ２の噴出口２２に到達する着火炎は薄く弱くなりが燃料インジェクタ２を逆火させるおそれも少ない。
【００５２】
さらに、本実施例では燃料インジェクタ２の一部の噴出口２２を点火プラグ１のドーム２４の導入流路２４３開口に向けることができる。このためより確実に所定量の噴射燃料５を導入流路２４３に導入でき、ドーム２４の外壁面に付着する燃料を少なくできる。このため噴射燃料が扇形状に広がって噴出される外開弁噴霧及び多孔ホロコーン噴霧に比較しプラグに付着する燃料を少なくでき、プラグの汚染を少なくできる利点もある。
【図面の簡単な説明】
【００５３】
【図１】本実施例の点火プラグの一部断面図である。
【図２】本実施例の点火プラグの導入流路を正面とした図である。
【図３】実施例１の点火プラグのドームの変形例を示す要部断面図である。
【図４】実施例１の点火プラグのドームの他の変形例を示す要部断面図である。
【図５】実施例２の内燃機関の要部断面図である。
【符号の説明】
【００５４】
１：点火プラグ      １１：プラグ本体        １２：中心電極
１３：接地電極          ４、２４、２５：ドーム
１４０、２４０、２５０：着火室    １４１、２４１、２５１：周壁部
１４２、２４２、２５２：頂壁部    １４３、２４３、２５３：導入流路
１４４、２４４、２５４：導出流路                  ６：内燃機関
６１：シリンダ        ６２：ピストン          ６３：シリンダヘッド
６４：燃焼室            ２：燃料インジェクタ  ２２：噴出口
５：噴射燃料
【図１】
2007035570.tif 000003
【図２】
2007035570.tif 000004
【図３】
2007035570.tif 000005
【図４】
2007035570.tif 000006
【図５】
2007035570.tif 000007